(57)【要約】【課題】  温度応動部材の小さな変形力でオリフィスを順次開閉できるフロート式スチームトラップを提供する。【解決手段】  入口４と出口６を有する本体１に蓋体２を締結して内部に弁室３を有するケーシングを形成する。弁室３下部側壁の蓋体２に弁孔７と排出孔８を開けた弁座９を結合する。弁室３内に弁孔７を開閉する中空球形の密閉のフロート１１を自由状態で配置する。短冊状の平板を湾曲させた形状の温度応動部材としてのバイメタル１４の一端を弁座９の側壁に固定する。弁座９の側壁に弁室３を排出孔８に連通する小口径のオリフィス１３をバイメタル１４の一端側から他端側に複数形成する。バイメタル１４は低温時に小口径の複数のオリフィス１３を他端側から順次開口し高温時に一端側から順次閉口する。【選択図】      図１
2011127654.tif 000002
【特許請求の範囲】
【請求項１】
ケーシングで入口と弁室と出口を形成し、弁室を出口側に連通する弁孔と排出孔を開けた弁座を弁室の下部側壁に取り付け、弁室内に密閉のフロートを配置し、フロートの浮上降下により直接にあるいは弁部材等を介して弁孔を開閉するフロート式スチームトラップであって、弁室を排出孔に連通するオリフィスを弁座に開け、弁室内に温度応動部材を配置し、温度応動部材の変形により低温時にオリフィスを開口し高温時にオリフィスを閉口するものにおいて、短冊状の平板を湾曲させた温度応動部材の一端を弁座の側壁に固定し、弁座の側壁に小口径のオリフィスを温度応動部材の一端側から他端側に複数形成し、温度応動部材の変形により小口径の複数のオリフィスを順次開閉することを特徴とするフロート式スチームトラップ。
【発明の詳細な説明】
【技術分野】
【０００１】
本発明は、蒸気配管系に発生するドレンを自動的に排出するスチームトラップに関し、特に密閉のフロートで直接にあるいは弁部材等を介して弁孔を開閉するフロート式スチームトラップに関する。
【背景技術】
【０００２】
従来のフロート式スチームトラップは、例えば特許文献１に開示されている。これは、ケーシングで入口と弁室と出口を形成し、弁室を出口側に連通する弁孔と排出孔を開けた弁座を弁室の下部側壁に取り付け、弁室内に密閉のフロートを配置し、フロートの浮上降下により直接にあるいは弁部材等を介して弁孔を開閉するフロート式スチームトラップであって、弁室を排出孔に連通するオリフィスを弁座に開け、弁室内に温度応動部材を配置し、温度応動部材の変形により低温時にオリフィスを開口し高温時にオリフィスを閉口するものである。
【先行技術文献】
【特許文献】
【０００３】
【特許文献１】特開２００３−２４０１９０号公報
【発明の概要】
【発明が解決しようとする課題】
【０００４】
上記従来のフロート式スチームトラップは、温度応動部材がオリフィスに作用する弁室内の流体圧力に打勝って変形してオリフィスを開口しなければならないために、変形力の大きな温度応動部材を必要とする問題点があった。
【０００５】
したがって本発明が解決しようとする課題は、温度応動部材の小さな変形力でオリフィスを順次開閉できるフロート式スチームトラップを提供することである。
【課題を解決するための手段】
【０００６】
上記の課題を解決するために、本発明のフロート式スチームトラップは、ケーシングで入口と弁室と出口を形成し、弁室を出口側に連通する弁孔と排出孔を開けた弁座を弁室の下部側壁に取り付け、弁室内に密閉のフロートを配置し、フロートの浮上降下により直接にあるいは弁部材等を介して弁孔を開閉するフロート式スチームトラップであって、弁室を排出孔に連通するオリフィスを弁座に開け、弁室内に温度応動部材を配置し、温度応動部材の変形により低温時にオリフィスを開口し高温時にオリフィスを閉口するものにおいて、短冊状の平板を湾曲させた温度応動部材の一端を弁座の側壁に固定し、弁座の側壁に小口径のオリフィスを温度応動部材の一端側から他端側に複数形成し、温度応動部材の変形により小口径の複数のオリフィスを順次開閉することを特徴とするものである。
【発明の効果】
【０００７】
本発明によれば、短冊状の平板を湾曲させた温度応動部材の一端を弁座の側壁に固定し、弁座の側壁に小口径のオリフィスを温度応動部材の一端側から他端側に複数形成し、温度応動部材の変形により小口径の複数のオリフィスを順次開閉するものであるので、すなわち、温度応動部材の他端側ほど大きく変位して、小口径の複数のオリフィスを温度応動部材の他端側から順次開口するとともに一端側から順次閉口するものであるので、温度応動部材は小さな変形力でオリフィスを順次開閉できるという効果を奏する。
【図面の簡単な説明】
【０００８】
【図１】本発明の実施の形態に係わるフロート式スチームトラップの断面図である。
【図２】図１のＡ−Ａ拡大断面図である。
【発明を実施するための形態】
【０００９】
以下、本発明の実施の形態について、図１と図２を参照して説明する。本実施例はフリーフロート式スチームトラップに適用したものである。フリーフロート式スチームトラップのケーシングは本体１とこの本体１にボルトで締結した蓋体２とで形成し、内部に弁室３を有する。本体１は入口４と出口通路５と出口６を有し、入口４は弁室３の上部に連通する。
【００１０】
弁室３下部側壁の蓋体２に弁孔７と排出孔８を開けた弁座９をねじ結合して取り付ける。弁孔７は斜め下方に向けて開口する。蓋体２は出口通路１０を有し、弁孔７が開口すると、弁室３の下部は弁孔７から排出孔８、出口通路１０、出口通路５を通して出口６に連通する。弁室３内に弁孔７を開閉する中空球形のフロート１１を自由状態で配置する。フロート１１が弁孔７を閉じた位置で当接するフロート座１２をフロート１１の下方に、図面の手前側と向う側に２つ設ける。
【００１１】
弁室３を排出孔８に連通する小口径の複数のオリフィス１３を弁座９の側壁に開ける。オリフィス１３が開口すると、弁室３の下部はオリフィス１３から排出孔８、出口通路１０、出口通路５を通して出口６に連通する。小口径の複数のオリフィス１３は全体として所望の排出流量が得られる開口面積に形成する。小口径の複数のオリフィス１３に対面して短冊状の平板を湾曲させた形状の温度応動部材としてのバイメタル１４をその一端を弁座９の側壁にビス１５で固定する。バイメタル１４は熱膨脹係数の異なる２種類の金属または合金を一体に接着して短冊状にし、それを内側が低膨脹側に外側が高膨脹側になるように湾曲させたもので、弁室３内の流体の温度が低くなると拡がり高くなると狭まるように変形し、他端側ほど大きく変位する。これにより、バイメタル１４は低温時に小口径の複数のオリフィス１３を他端側から順次開口し高温時に一端側から順次閉口する。
【００１２】
上記実施例のフリーフロート式スチームトラップの動作は下記の通りである。弁室３内の流体の温度が低温の場合、バイメタル１４は拡がるように変形して小口径の複数のオリフィス１３を他端側から順次開口する。これにより、低温の空気とドレンをオリフィス１３から排出孔８、出口通路１０、出口通路５を通して出口６に排出する。低温の空気とドレンの排出によって弁室３内の流体の温度が高くなると、バイメタル１３は狭まるように変形して小口径の複数のオリフィス１３を一端側から順次閉口する。このように、バイメタル１４は小口径の複数のオリフィス１３を順次開閉するので、小さな変形力でオリフィス１３を順次開閉できる。フロート１１は弁室３内のドレン量に応じて浮上降下して弁孔７を開閉し、ドレンを弁孔７から排出孔８、出口通路１０、出口通路５を通して出口６に排出する。
【産業上の利用可能性】
【００１３】
本発明は、密閉のフロートで直接にあるいは弁部材等を介して弁孔を開閉することにより、蒸気配管系に発生するドレンを自動的に排出するフロート式スチームトラップに利用することができる。
【符号の説明】
【００１４】
１  本体
２  蓋体
３  弁室
４  入口
６  出口
７  弁孔
８  排出孔
９  弁座
１１  フロート
１３  オリフィス
１４  バイメタル
【図１】
2011127654.tif 000003
【図２】
2011127654.tif 000004